(57)【要約】  本発明は、少なくとも一つの電気回路をスイッチングするために、磁気効果によって第一位置と第二位置の間で制御される、基板３によって支持された可動部材を備えた磁気マイクロアクチュエータ２、２’と、可動部材を第一位置に維持するために可動部材に均一な第一磁界Ｂ０をかける永久磁石または電磁石と、基板３の外部に励起コイル４、６とを備え、該励起コイル４、６は、通電時に可動部材に第二磁界ＢＳ1をかけて可動部材を第一位置から第二位置へ移動させるマイクロシステムにおいて、励起コイルはソレノイド型であって、可動部材を支持する基板を取り囲んでいるマイクロシステムに関する。
2008527642.tif 000002
【特許請求の範囲】
【請求項１】
マイクロシステムであって、
少なくとも一つの電気回路をスイッチングするために、磁気効果によって第一位置と第二位置の間で制御される、基板３によって支持された可動部材を備えた磁気マイクロアクチュエータ２、２’と、
前記可動部材を前記第一位置に維持するために前記可動部材に第一磁界Ｂ0をかける永久磁石または電磁石と、
前記基板３の外部に励起コイル４、６とを備え、前記励起コイル４、６は通電時に前記可動部材に第二磁界ＢＳ1をかけて前記可動部材を前記第一位置から前記第二位置へ移動させることができるマイクロシステムにおいて、
前記励起コイルはソレノイド型であって、前記可動部材を支持する前記基板を取り囲むことを特徴とするマイクロシステム。
【請求項２】
前記可動部材は、前記基板３に設置された長手軸Ａ、Ａ’を有するメンブレン２０、２０’を備え、前記長手軸Ａ、Ａ’に対して垂直である軸Ｐ、Ｐ’に従って、前記二つの位置間で旋回でき、また、前記メンブレン２０、２０’は磁気性材料からなる少なくとも一つの層を有することを特徴とする請求項１に記載のマイクロシステム。
【請求項３】
前記第一磁界Ｂ0は均一であって、前記可動部材が設置された前記基板３の表面３０に対して垂直に方向づけられることを特徴とする請求項１または２に記載のマイクロシステム。
【請求項４】
前記磁気マイクロアクチュエータ２、２’を支持する前記基板３は磁気回路内に配置され、前記磁気回路は空隙５０、５１および前記第一磁界Ｂ0を発生させる磁気源を有することを特徴とする請求項１〜３のマイクロシステム。
【請求項５】
前記磁気源は永久磁石５であることを特徴とする請求項４に記載のマイクロシステム。
【請求項６】
前記磁気源は電磁コイル５’であることを特徴とする請求項４に記載のマイクロシステム。
【請求項７】
前記励起コイル４は、長手方向に異なる巻き４０の密度を有することを特徴とする請求項１〜６に記載のマイクロシステム。
【請求項８】
前記励起コイル４は、両端において巻き４０の数が大きくなることを特徴とする請求項７に記載のマイクロシステム。
【請求項９】
均一の前記第一磁界Ｂ0の磁力線の方向は、前記磁気マイクロアクチュエータ２、２’を支持する前記基板３の表面３０の平面に対して垂直ではないことを特徴とする請求項１〜８に記載のマイクロシステム。
【請求項１０】
二つの電気回路の開路・閉路を制御することを特徴とする請求項１〜９に記載のマイクロシステム。
【請求項１１】
ＭＥＭＳ技術で製作されることを特徴とする請求項１〜１０に記載のマイクロシステム。
【請求項１２】
前記基板３は前記励起コイル４によって同時に制御できる、複数の同型の前記磁気マイクロアクチュエータ２、２’を支持することを特徴とする請求項１〜１１に記載のマイクロシステム。
【発明の詳細な説明】
【技術分野】
【０００１】
本発明は、外部励起コイルで作動する磁気マイクロアクチュエータを少なくとも一つ設けるマイクロシステムに関する。
【背景技術】
【０００２】
係るマイクロシステムは、スイッチ式電気機器、特に切替器、接触器またはリレー器として使用できる。このようなマイクロシステムの製作には特に、ＭＥＭＳ技術が適している。
【０００３】
ＵＳ６３２０１４５の文献は、静磁気の継電器を記載している。この継電器は単安定かつ磁化可能な梁によって機能する。磁界の作用によって、この梁は磁界の方向と合わせるように屈曲し、電気回路を閉路する。梁は弾性材料からなるため、梁と磁界との相互作用がなくなると、機械的な作用のみで梁は初期位置に戻る。したがって、梁が初期位置へ戻る力は単純に機械的原因によるものであって、梁の製造材料の性質と当該部材の配置のみによって生じるものである。
【０００４】
ＵＳ６４６９６０２およびＵＳ６７５０７４５の特許では、電気回路の開路または閉路を制御するために、双安定かつ磁化可能な梁による二つの位置間の移動を利用している。梁の移動は電磁石によって制御される。梁が第一位置にあると電気回路は開路し、梁が第二位置にあると電気回路は閉路する。梁が第二位置にある時、基板に配置された固定接点と梁が有する接点とを接触させることによって電気回路を閉路する。静止状態では、梁は第一位置にあるので、電気回路は開路する。永久磁石により可磁化梁で発生した磁界によって、梁は静止状態に維持される。電磁石に通電することによって、梁が第一位置から第二位置へ動くように方向づけられた第二磁界が発生する。梁が第二位置になると、電磁石をオフにし、梁は永久磁界によって第二位置に維持される。
【発明の開示】
【発明が解決しようとする課題】
【０００５】
ＵＳ６、７５０、７４５特許では、複数の同型のマイクロアクチュエータを一つの基板に配置することにより、電磁石で同時に制御できるようになっている。この特許では、コイルは平面体であり、基板に組み込まれている。マイクロアクチュエータは、平面コイルのそれぞれの面に配置される。しかしながら、係る装置は一つのコイルで複数のマイクロアクチュエータを同時制御できるものの、いくつかの問題点がある。この問題点は、
基板に組み込まれた平面コイルを使用することにより、各マイクロアクチュエータに対して必要な基板の平均的面積が大きくなり、各マイクロアクチュエータに対してコストがかかること、
コイルを基板に組み込むことは、プレーナ技術による製法における工程を増やすことになり、それによって生産高が低下し、各マイクロアクチュエータのコスト増につながること、
基板に組み込まれたコイルの電気抵抗は、ジュール効果により、マイクロアクチュエータの動作エネルギーの一部を基板と電極において熱として放出させてしまうこと。この熱放出の結果、切替器、接触器または継電器として使用されるマイクロアクチュエータの電気的性能が悪化してしまう。したがって、本発明の目的は、上記課題を解決し、設計が単純であり、安価で、必要に応じて多数のマイクロアクチュエータを有することができるマイクロシステムを提供することにある。
【課題を解決するための手段】
【０００６】
この目的は、
少なくとも一つの電気回路をスイッチングするために、第一位置と第二位置の間で磁気効果によって制御され、基板で支持された可動部材を備えた磁気マイクロアクチュエータ、
可動部材を第一位置に維持するために、可動部材に第一磁界をかける永久磁石または電磁石、
基板に対して外部励起コイルを備え、該励起コイルが通電する時に可動部材に第二磁界をかけることで、可動部材を第一位置から第二位置へ移動させることができるマイクロシステムにおいて、
前記励起コイルは、可動部材を支持する基板を取り囲むソレノイド型であることを特徴とするマイクロシステムによって達成される。
【発明の効果】
【０００７】
本発明によれば、マイクロアクチュエータはソレノイド型コイルの中央部に配置される。上記に引用した特許の教示とは異なり、コイルは基板の外部にあり、つまり基板に組み込まれていないため、上記のいくつかの問題点を解決できる。プリント回路や銅線の巻き線による技術、またはその他の立体的構造とする方法によって製作する場合、組み込み式コイルのような問題点がなく、これらの技術による生産性は十分に保証されている。
【０００８】
一つの態様によれば、可動部材はメンブレンを有し、該メンブレンは基板に設置され、長手軸を有し、該長手軸に対して垂直である軸に従って前記二つの位置間で旋回でき、また、該メンブレンは磁気性材料からなる少なくとも一つの層を有する。
【０００９】
従来技術では、磁界は例えば、基板に接着された永久磁石によって発生する。従来技術によるマイクロシステムを組み立てる場合、永久磁石によって発生させた磁界がマイクロアクチュエータの可動部材に所望の影響を及ぼすように、永久磁石をマイクロアクチュエータに対して正確に位置付ける工程が含まれる。本発明によれば、発生した第一磁界が均一である空隙を利用することで、組み立て時の該工程を省略できる。
【００１０】
周知のように、空隙に発生する第一磁界は均一であって、磁界の方向はマイクロアクチュエータを支持する基板に対して垂直である。第一磁界は、その軸に従い、メンブレンにおいて磁気成分を発生する。磁界とメンブレンにおける磁気成分から生じる磁気トルクによって、メンブレンは一つの位置に維持される。励起コイルによって発生する第二磁界は、第一磁界に対して垂直である。この第二磁界は、メンブレンの軸に従ってメンブレンにおいて磁気成分を発生し、この磁気成分は磁界によって発生した第一成分に拮抗する。この新たな磁気成分の強度の方が高い場合、メンブレンはその他の位置に旋回する。
【００１１】
もう一つの態様によれば、ソレノイド型の励起コイルは、長手方向に異なる巻き密度を有する。
【００１２】
もう一つの態様によれば、励起コイルは各終端において巻き数が大きくなる。これによって、ソレノイド内で発生した軸方向の第二磁界が均一化され、ソレノイドの有効体積を増加できる。
【００１３】
もう一つの態様によれば、第一磁界を発生させられる磁気回路の磁気源は、永久磁石または電磁コイルである。
【００１４】
もう一つの態様によれば、基板は均一な磁界をかけられ、その磁力線の方向は、磁気マイクロアクチュエータを支持する基板の表面の平面に対して垂直ではない。このような構成によれば、メンブレンの磁気トルクを増加でき、したがってマイクロアクチュエータの接触力も増加できる。この傾きによるもう一つの利点は、ＭＥＭＳ（Ｍｉｃｒｏ  Ｅｌｅｃｔｒｏ−Ｍｅｃｈａｎｉｃａｌ  Ｓｙｓｔｅｍ：微小電気機械システム）のような技術でマイクロシステムを製造する際に見られる。すなわち、この場合、マイクロアクチュエータのメンブレンの傾きは、犠牲層の厚さではなく、均一磁界を発生する磁気回路内におけるマイクロシステムの配置によって決定される。したがって、メンブレンと基板の間の犠牲層は薄くてもよい。
【００１５】
本発明によれば、マイクロシステムは二つの電気回路の開路・閉路を制御できる。
【００１６】
本発明によれば、マイクロシステムの少なくとも一部はＭＥＭＳのような技術で製造できる。
【発明を実施するための最良の形態】
【００１７】
一つの特に有利な実施形態によれば、基板は、前記励起コイルによって同時に制御可能な、複数の同型のマイクロアクチュエータを支持する。したがって、基板を取り囲むソレノイド型の同励起コイルは、マイクロアクチュエータのマトリックスに対して作用する。マトリックスはソレノイド型励起コイルの中心に配置される。マイクロアクチュエータは例えば、電気線で接続され、分離電圧を上昇させるために直列に配置した、または電流強度を分配するために並列に配置したマイクロリレーである。
【００１８】
また別の特徴と利点については、付属の図面に示す実施例を参照しながら詳細な説明で明らかになる。
【００１９】
本発明は、図１〜７を参照して説明する。
【００２０】
上記の従来技術と同様に、本発明のマイクロシステムは、磁気マイクロアクチュエータ２、２’を使用して電気回路の開路と閉路を制御する。
【００２１】
図２Ａ、図２Ｂを参照すると、マイクロシステムは基板３で支持されたマイクロアクチュエータ２、２’を備える。基板３は例えば、ガラスあるいはプラスチックのような材料、または、電力用途の場合では、シリコンあるいはセラミックのような熱伝導性の高い材料から製作される。基板３は平面３０を有し、その上にマイクロアクチュエータ２、２’が固定される。公知のように（ＵＳ特許出願２００２／０１４０５３３を参照）、基板３は例えば、少なくとも二つの電極３１、３２（図２Ａ、図２Ｂ）を設け、これらの電極は電気的に接続されて電気回路を閉路する。このため、磁気マイクロアクチュエータ２、２’は、少なくとも一つの可動接点２１、２１’を有し、マイクロアクチュエータ２、２’が動作する際には、二つの電極３１、３２を電気的に接続する。
【００２２】
図２Ａに示す第一実施形態によれば、マイクロアクチュエータ２は例えば、二つの平行する連結アーム２２ａ、２２ｂを介して片端が基板３と一体になる固定台２３に結合された、長手軸Ａを有する平行６面体のメンブレン２０からなる可動部材から構成される。接点２１は例えば、基板３の表面３０に対向して、メンブレン２０の自由端の付近に形成される。
【００２３】
前記二つの連結アーム２２ａ、２２ｂを介し、基板の表面３０と平行かつ基板の長手軸Ａと垂直であり、メンブレン２０の電極３１、３２の接点によって描かれる軸と平行である軸Ｐに従い、メンブレン２０は基板３に対して旋回できる。連結アーム２２ａ、２２ｂは、メンブレン２０と固定台２３の間に弾性連結を形成する。このような構成では、連結アーム２２ａ、２２ｂの屈曲によってメンブレン２０が旋回する。図２Ａに示すように、平衡位置と呼ばれる、アーム２２ａ、２２ｂに付勢しない位置では、メンブレン２０は基板３の表面３０で形成される平面に対して平行になる。
【００２４】
図２Ｂに示す第二実施形態によれば、本発明によるマイクロシステムで使用できるマイクロアクチュエータ２’は、長手軸Ａ’を有する例えば平行６面体の堅固なメンブレンから構成される可動部材を設ける。図２Ｂを参照すると、メンブレン２０’の軸Ａ’に対して左右対称に配置された固定台２３ａ’２３ｂ’に前記メンブレン２０’を結合する連結アーム２２ａ’、２２ｂ’を介して、このメンブレン２０’が基板３と一体化される。可動接点２１’は例えば、基板３の表面３０に対向して、メンブレン２０’の端の付近に形成される。
【００２５】
前記二つのアーム２２ａ、２２ｂを介して、基板の表面３０と平行かつ基板２０’の長手軸Ａ’と垂直であり、メンブレン２０’と電極３１、３２の接点によって描かれる軸と平行である軸Ｐに従い、メンブレン２０’は基板３に対して旋回できる。好ましくは、この実施形態によれば、このメンブレン２０’の旋回軸Ｐ’は平行となる中央軸に対してずらし、旋回軸Ｐ’の左右のそれぞれの部分の分量が異なるようにする。メンブレン２０の大きい方の部分の自由端は、電気回路を閉路できる接点２１’を有する。
【００２６】
連結アーム２２ａ’、２２ｂ’は、メンブレン２０とそれぞれの固定台２３ａ’と２３ｂ’の間に弾性連結を形成する。このような構成では、連結アーム２２ａ’、２２ｂ’の屈曲によってメンブレン２０’が旋回する。他の構成も、完全に適用することができる。図２Ｂに示すように、平衡位置と呼ばれる、アームに付勢しない位置では、メンブレン２０’は基板３の表面３０’で形成される平面に平行である。
【００２７】
マイクロアクチュエータ２、２’の二つの実施形態は、本発明によるマイクロシステムにおいて完全に使用できる。下記の説明は、第一実施形態によるマイクロアクチュエータにも、第二実施形態によるマイクロアクチュエータにも適用するものである。
【００２８】
本発明に記載されるマイクロアクチュエータ２、２’はＭＥＭＳ（Ｍｉｃｒｏ  Ｅｌｅｃｔｒｏ−Ｍｅｃｈａｎｉｃａｌ  Ｓｙｓｔｅｍ：微小電気機械システム）のプレーナ複製法により製作できる。すなわち、このような物体の製作には、連続する層を反復して重ねていくことが有効である。この場合、メンブレン２０、２０’およびアーム２２ａ、２２ｂ、２２ａ’、２２ｂ’は同一材料の層からなることが可能である。しかし、他の構成では、連結アーム２２ａ、２２ｂ、２２ａ’、２２ｂ’およびメンブレン２０、２０’の低層は金属層からなることも可能である。この金属層の上に磁気感応性の材料による層を付着して、メンブレン２０、２０’の上層を形成する。このような構成では、メンブレン２０、２０’の旋回動きを可能とするために、磁気感応性の材料よりも機械的により適切な材料を使用することで、連結アーム２２ａ、２２ｂ、２２ａ’、２２ｂ’の機械的性質を最適化できる。また、電気回路を閉路する接点には、金属層を使用できる。磁気感応性の材料は例えば、軟磁性の材料であり、鉄とニッケルの合金（「ｐｅｒｍａｌｌｏｙ」Ｎｉ80Ｆｅ20）などでよい。
【００２９】
以下に、本発明の原則を図２Ａに示す第一実施形態のマイクロアクチュエータをもって説明するが、該説明が図２Ｂに示す第二実施形態のマイクロアクチュエータに対しても適用されることは言うまでもない。
【００３０】
図１および図３Ａ〜３Ｃを参照すると、ソレノイド型の外部励起コイルによって発生させた磁界をメンブレン２０にかけることによって、メンブレン２０をその旋回軸Ｐを中心として旋回させることができる。このようにして、メンブレン２０は二つの異なった極限位置をとることができる。アクチュエータの第一実施形態を示す図３Ａ〜３Ｃを参照すると、第一極限位置（図３Ａおよび３Ｂ）では、接点２１を有するメンブレン２０の端部が持ち上がり、電極３１、３２に当接しない。したがって、電気回路は開路する。第二極限位置（図３Ｃ）では、接点２１を有するメンブレン２０の端部が電極３１、３２に当接する。この第二位置では、電気回路は閉路する。
【００３１】
本発明によれば、マイクロアクチュエータ２を有する基板３には、好ましくはできるだけ均一な磁界Ｂ0をかける。この第一磁界Ｂ0は、基板の表面３０に直交する磁力線を有する。図３Ａ〜３Ｃで示すように、この第一磁界Ｂ0の磁力線は基板３の表面３０へ向かう。この第一磁界Ｂ0は、永久磁石または電磁石によって発生させてもよい。この第一磁界Ｂ0を発生させるために、永久磁石５または電磁コイル５’を磁気源として有する磁気回路を使用できる。図４Ａおよび４Ｂで示すように、この磁気回路は永久磁石５（図４Ａ）または電磁コイル５’（図４Ｂ）および永久磁石５またはコイル５’の左右に平行に配置された空隙用の部材５０、５１からなり、該部材５０、５１の間に第一磁界Ｂ0が発生する。係る磁気回路を使用することによって、均一な第一磁界Ｂ0を空隙に発生させることができる。
【００３２】
図１に示すようなソレノイド型の励起コイル４は、電流源に接続され、基板３および基板３で支持されたマイクロアクチュエータ２を取り囲み、メンブレン２０のとり得る二つの位置間においてその動きを制御する。このため、マイクロアクチュエータ２は励起コイル４の中央部に、つまり中央チャネルに配置される。励起コイル４に電流が流れると、メンブレン２０は一つの位置から、もう一つの位置へ旋回する。励起コイル４に流れる電流の方向によって、メンブレン２０がどちらの位置へ旋回するかが決定される。便宜上、図３Ａ〜３Ｃには励起コイル４を示さない。しかしながら、これらの図においても、図１に示すように、励起コイル４がマイクロアクチュエータ２を取り囲んでいると考える。
【００３３】
マイクロアクチュエータ２を支持し、ソレノイド型の励起コイルに取り囲まれた基板３は、例えば上記の図４Ａと４Ｂを参照して説明された磁気回路の空隙で、第一磁界Ｂ0をかけられる。図３Ａに示すように、第一磁界Ｂ0は最初に、その長手軸Ａに従い、メンブレン２０において磁気成分ＢＰ０を発生する。磁界Ｂ0とメンブレン２０において発生した成分ＢＰ０から生じる磁気トルクによって、メンブレン２０は例えば、図３Ａの第一位置または図３Ｃの第二位置のどちらか一つの位置に維持される。したがって、第一位置では、メンブレン２０の接点は持ち上げられ、電気回路は開路する。第二位置では、メンブレン２０の接点２１は二つの電極３１、３２を電気的に接続し、電気回路を閉路する。
【００３４】
メンブレン２０が最初に第一位置（図３Ａ）にあるとすると、第二位置へは下記のようにして動く。
【００３５】
図３Ｂを参照すると、基板３を取り囲むソレノイド型の励起コイル４において電流が所定の方向に流れると、基板３と平行かつメンブレン２０の旋回軸Ｐと直交する方向に、第二磁界ＢＳ1が発生し、第二磁界ＢＳ1の方向は、励起コイル４に流れる電流の方向に依存する。励起コイル４で発生した第二磁界ＢＳ1は、メンブレン２０の磁気層においてその長手軸Ａに沿って磁気成分ＢＰ1を発生する。電流が適切な方向に流れると、この新たな磁気成分ＢＰ1は、磁界Ｂ0によってメンブレン２０の磁気層において発生した成分ＢＰ０に拮抗する。励起コイル４で発生した磁気成分ＢＰ１の強度が磁界Ｂ0によって発生した磁気成分の強度よりも高い場合は、磁界Ｂ0とこの磁気成分ＢＰ１によって生じた磁気トルクが反転し、メンブレン２０をその第一位置から第二位置へ旋回させる。
【００３６】
メンブレン２０の旋回が完了すれば、励起コイル４への給電は不要となる。本発明によれば、励起コイル４によって発生した第二磁界ＢＳ1は一時的なものであって、メンブレン２０を一つの位置から他の位置へ旋回するためだけに使用される。したがって、図３Ｃに示すように、その後、第一磁界Ｂ0はメンブレン２０において新たな磁気成分ＢＰ２を発生させるので、メンブレン２０は第一磁界Ｂ0の効果のみで第二位置に維持される。第一磁界Ｂ0とメンブレン２０において発生した成分ＢＰ2から生じる新たな磁気トルクによって、メンブレン２０は第二位置に維持される。
【００３７】
メンブレン２０が第二位置へ旋回すると、メンブレン２０が有する接点２１が基板３にある二つの電極３１、３２を電気的に接続する。この時、電気回路は閉路する。
【００３８】
電気回路を開路するには、メンブレン２０が再び第一位置へ旋回すればよい。励起コイル４の電流は、上記と逆方向に流れる。したがって、励起コイル４によって発生した磁界は、上記の磁界ＢＳ１と逆方向になる。この磁界は、メンブレン２０において磁気成分ＢＰ2に拮抗する磁気成分を長手軸Ａに従って発生させる。この新たな磁気成分の強度が成分ＢＰ2よりも高い場合は、第一磁界Ｂ0とこの新たな磁気成分とからなる磁気トルクによってメンブレン２０はその第一位置へ動く。
【００３９】
メンブレン２０を旋回させるための励起コイル４に流れる電流の強さは、励起コイル４を形成する巻数および励起コイル４に沿った磁界の密度に依存する。
【００４０】
本発明によれば、図６を参照すると、ソレノイド型の励起コイル４は、その長手方向に異なるコイルの巻き４０の密度を有する。コイルの巻き４０の数は、励起コイル４の中央部よりも両端で大きくなる。このように、ソレノイド内に発生する磁界は、励起コイル４の全長に対して完全に均一である。励起コイル４によって発生する磁界（例えば図３ＢではＢＳ1）の均一性は、ソレノイド内の有効体積を増加させるために重要である。
【００４１】
本発明によれば、ソレノイド型の励起コイル４は、プリント回路または銅線の巻き線の技術によって形成できる。
【００４２】
本発明によれば、メンブレン２０と基板３の間の接触力を向上するためには、第一磁界Ｂ0とメンブレン２０において発生した磁気成分との間の磁気トルクを増加させる。このために、第一磁界Ｂ0の方向と基板３の表面３０との角度ｘ（図５Ａ、５Ｂを参照）を利用する。この角度ｘは９０度であってはならない。磁力線の方向とマイクロアクチュエータを支持する基板の表面３０との角度は、永久磁界の方向に対して基板３を傾斜させること（図５Ａ）、あるいは、空隙用の部材５０、５１を特定の形とし、空隙で発生する磁界の方向が基板３の表面３０に対して角度ｘとなるようにすること（図５Ｂ）によって設定される。図５Ｂを参照すると、各空隙用の部材を傾斜するか、または図示しない実施形態として、各部材５０、５１を屈曲させることができる。
【００４３】
図７に示す別の実施形態によれば、本発明によるマイクロシステムは、二つの個別の電気回路を制御するために使用される。この実施形態によれば、第一基板３ａは第一電気回路の電極３１ａを有し、例えば第一基板３ａと平行に、かつその上に配置された第二基板３ｂは、第二電気回路の電極３１ｂを有する。電極３１ａ、３１ｂは、静止状態では、本発明のマイクロアクチュエータ２のメンブレン２０の長手軸Ａに対して左右対称に配置される。この二つの基板は例えば、連結部材５で連結される。本発明によるマイクロアクチュエータ２は、基板３ａ、３ｂの少なくとも一つと一体化される。したがって、旋回するメンブレン２０は、その二つの極限位置間で旋回し、各位置にて、どちらか一つの電気回路を閉路できる。平衡位置では（図７の実線）、二つの電気回路は開路しており、メンブレン２０は二つの基板３ａ、３ｂに平行である。第一極限位置では（図７の断線）、メンブレン２０は第一電極３１ａと接触して第一電気回路を閉路し、一方の第二極限位置では（図７の断線）、メンブレン２０は第二電極３１ｂと接触して第二電気回路を閉路する。
【００４４】
本発明によれば、本発明によるマイクロシステムは、上記のような複数の同型のマイクロアクチュエータ２、２’を有し、ソレノイド型の励起コイル４の中心に配置されたマトリックスを形成する。ソレノイド型の励起コイル４の駆動により、同じ制御力で、直列または並列に配置された多数のマイクロアクチュエータ２、２’を同時に作動できる。マイクロアクチュエータ２、２’は例えば、複数の平行線に従って配置されている。したがって、励起コイル４、６に電源が流れると、一つの線または複数の線のすべてのマイクロアクチュエータ２、２’を同時に作動できる。
【００４５】
言うまでもなく、本発明の範囲内において、他の変形や変更または均等手段の使用を想定することができる。
【図面の簡単な説明】
【００４６】
【図１】本発明の特定の実施形態によるマイクロシステムの透視図を示す。
【図２Ａ】本発明のマイクロシステムで使用できる実施形態によるマイクロアクチュエータの透視図を示す。
【図２Ｂ】本発明のマイクロシステムで使用できる実施形態によるマイクロアクチュエータの透視図を示す。
【図３Ａ】マイクロアクチュエータの可動部材を旋回するための実施段階の側面図を示す。
【図３Ｂ】マイクロアクチュエータの可動部材を旋回するための実施段階の側面図を示す。
【図３Ｃ】マイクロアクチュエータの可動部材を旋回するための実施段階の側面図を示す。
【図４Ａ】磁気回路の二つの空隙用部材間に本発明のマイクロシステムが配置されている状態を示す。
【図４Ｂ】磁気回路の二つの空隙用部材間に本発明のマイクロシステムが配置されている状態を示す。
【図５Ａ】マイクロアクチュエータの接触力を増加させるための実施例を示す。
【図５Ｂ】マイクロアクチュエータの接触力を増加させるための実施例を示す。
【図６】本発明によるマイクロシステムのソレノイド型コイルに使用できる巻き線の略図を示す。
【図７】二つの個別の電気回路を制御するための、本発明によるマイクロシステムの実施状態を示す。
【図１】
2008527642.tif 000003
【図２Ａ】
2008527642.tif 000004
【図２Ｂ】
2008527642.tif 000005
【図３Ａ】
2008527642.tif 000006
【図３Ｂ】
2008527642.tif 000007
【図３Ｃ】
2008527642.tif 000008
【図４Ａ】
2008527642.tif 000009
【図４Ｂ】
2008527642.tif 000010
【図５Ａ】
2008527642.tif 000011
【図５Ｂ】
2008527642.tif 000012
【図６】
2008527642.tif 000013
【図７】
2008527642.tif 000014
【国際調査報告】
2008527642.tif 000015
2008527642.tif 000016
2008527642.tif 000017
2008527642.tif 000018
2008527642.tif 000019
2008527642.tif 000020